(57)【要約】【課題】光ファイバを装備する照明装置において、光ファイバの光入射端の入射光面積の確保と出射光の輝度増大を図る。【解決手段】光ファイバとしてダブルクラッドファイバを使用する。ダブルクラッドファイバ３の光入射端３７では、ＣＡＮレーザ２１のレーザ光はダブルクラッドファイバ３のコア３１及び内部クラッド３２に入射される。波長変換部５は、ダブルクラッドファイバ３のコア３１コア３１からの出射光を拡散層５２で拡散、蛍光体層５３波長変換してから、出射する。【選択図】図１
2018120749.tif 000002
【特許請求の範囲】
【請求項１】
径方向に中心から外側へ順にコア、内部クラッド及び外部クラッドの層を同軸に有しかつ屈折率が前記コア、前記内部クラッド及び前記外部クラッドの順に低下し、一端を光入射端とし、他端を光出射端としているダブルクラッドファイバと、
前記ダブルクラッドファイバの前記光入射端の前記コア及び前記内部クラッドに入射する励起光を生成する光源と、
前記ダブルクラッドファイバの前記光出射端の前記コアからの入射光を波長変換して出射する波長変換部とを備えることを特徴とする照明装置。
【請求項２】
請求項１の照明装置において、
前記ダブルクラッドファイバの前記光出射端側の端部に装着され、前記波長変換部の端面が取付けられる載置面、及び該載置面に開口し前記ダブルクラッドファイバの前記光出射端の前記コアから前記波長変換部に入射させる光を通過させる通孔を有する端部装着体とを備えることを特徴とする照明装置。
【請求項３】
請求項１又は２記載の照明装置において、
該照明装置は、車両用灯具として車両に搭載されることを特徴とする照明装置。
【請求項４】
請求項３記載の照明装置において、
前記車両用灯具は、前記波長変換部からの出射光を前照灯のハイビームの光として出射することを特徴とする照明装置。
【発明の詳細な説明】
【技術分野】
【０００１】
本発明は、光源からの光を光ファイバにより導いて出射する照明装置に関する。
【背景技術】
【０００２】
照射光の出射部と光源とが離れている照明装置では、光源と出射部とを光ファイバで接続し、光源から光を光ファイバにより出射部に導いている。
【０００３】
特許文献１は、ライトガイド（シングルクラッドファイバ）を装備し、内視鏡やファイバースコープ等に使用される照明装置を開示する。該照明装置は、ライトガイドの光出射端側に拡散部材と波長変換部材とを備え、ライトガイドから出射した光は、拡散部材により拡散されてから、波長変換部材に波長変換され、対象物に向かって出射する。
【０００４】
また、光ファイバとしてはシングルクラッドファイバ以外にダブルクラッドファイバが知られている。ダブルクラッドファイバは、ビーム品質の低い高出力レーザの品質を改善するために、加工装置や溶接装置において利用されている。また、光アンプや、ファイバレーザに利用されている（特許文献２−６）。
【先行技術文献】
【特許文献】
【０００５】
【特許文献１】国際公開第２００６／０３８５０２号
【特許文献２】特開２００７−１３４６２６号公報
【特許文献３】特開２００７−１７３６４９号公報
【特許文献４】特開２０１６−０２７６６２号公報
【特許文献５】特開２０１６−１７１２０８号公報
【特許文献６】特許第６００２４５３号公報
【発明の概要】
【発明が解決しようとする課題】
【０００６】
ランバーシアン発光の光源を使用する照明装置においては、光束が同一である場合、出射光面積が小さいほど、出射光面の輝度が増大して、照射光の照射点の輝度が増大する。したがって、照射点の輝度を増大するために、波長変換部の出射光面積は小さい方が望ましい。一方、レーザ光源の出射光を光ファイバに入射させる場合、光ファイバに入射できなかった光は無駄になるとともに、レーザ光源の出射光の径を細くするには限界がある。したがって、光ファイバの光入射端の入射光面積は広い方が有利となる。
【０００７】
特許文献１の照明装置では、光ファイバは、シングルクラッドファイバであり、光入射端の入射光面積と光出射端の出射光面積とは等しい。したがって、該照明装置は、光入射端の大きな入射光面積を確保しつつ、光出射端の出射光面積を小さくすることは困難である。
【０００８】
本発明の目的は、光ファイバの光入射端の入射光面積を大きく確保しつつ、出射光の輝度を増大できる照明装置を提供することである。
【課題を解決するための手段】
【０００９】
本発明の照明装置は、
径方向に中心から外側へ順にコア、内部クラッド及び外部クラッドの層を同軸に有しかつ屈折率が前記コア、前記内部クラッド及び前記外部クラッドの順に低下し、一端を光入射端とし、他端を光出射端としているダブルクラッドファイバと、
前記ダブルクラッドファイバの前記光入射端の前記コア及び前記内部クラッドに入射する励起光を生成する光源と、
前記ダブルクラッドファイバの前記光出射端の前記コアからの入射光を波長変換して出射する波長変換部とを備えることを特徴とする。
【００１０】
本発明によれば、光源の光を波長変換部へ導く光ファイバとしてダブルクラッドファイバが使用される。ダブルクラッドファイバは、コアと共に内部クラッドも導波路として機能する。この結果、ダブルクラッドファイバの光入射端では、コアと内部クラッドとの両方で光をダブルクラッドファイバ内に導入可能になるので、入射光面積を大きく確保することができる。
【００１１】
ダブルクラッドファイバにおいて光が光入射端から光出射端へ向かう途中、内部クラッドを進む光がコアを進む光の励起光として作用することにより、光出射端におけるコアからの出射光の出力は、光入射端におけるコアへの入射光の入力と内部クラッドへの入射光の入力との合計に近付く。これにより、波長変換部の出射光面積を絞って、照明装置からの出射光の輝度を増大することができる。
【００１２】
本発明の照明装置は、
前記ダブルクラッドファイバの前記光出射端側の端部に装着され、前記波長変換部の端面が取付けられる載置面、及び該載置面に開口し前記ダブルクラッドファイバの前記光出射端の前記コアから前記拡散部に入射させる光を通過させる通孔を有する端部装着体とを備えることが好ましい。
【００１３】
波長変換部では、光を波長変換する時の発熱が問題になる。発熱は消光の原因になる。この構成では、ダブルクラッドファイバの光出射端からの出射光の径は細くできるので、端部装着体の通孔も細くできる。通孔が細くなれば、その分、積層体と端部装着体の載置面との接触面積を増大させて、積層体から端部装着体への熱伝導量を増大させ、波長変換部の冷却効果を高めることができる。
【００１４】
本発明の照明装置は、車両用灯具として車両に搭載されることが好ましい。
【００１５】
この構成によれば、車両用灯具からの出射光の輝度を増大することができる。
【００１６】
本発明の照明装置において、前記車両用灯具は、前記波長変換部からの出射光を前照灯のハイビームの光として出射することが好ましい。
【００１７】
この構成によれば、前照灯のハイビームの輝度を増大することができる。
【図面の簡単な説明】
【００１８】
【図１】照明装置の全体図。
【図２】ダブルクラッドファイバの縦断面図。
【図３】照明装置の先端部の縦断面図。
【図４】照明装置の先端部をその中心軸線の方向で見た図。
【図５】各種の光ファイバにおける光入射領域の径と輝度の分布との関係を示す図。
【図６】別の照明装置の全体図。
【図７】別の照明装置の先端部の縦断面図。
【図８】別の照明装置の先端部をその中心軸線の方向で見た図。
【図９】さらに別の照明装置の構成図。
【図１０】照明装置の使用例としての前照装置の構成図。
【発明を実施するための形態】
【００１９】
（実施例１）
図１は照明装置１の全体図である。照明装置１は、光源モジュール２、ダブルクラッドファイバ３、キャップユニット４及び波長変換部５を備える。
【００２０】
光源モジュール２は、光源としてのＣＡＮレーザ２１と、ＣＡＮレーザ２１が出射した光を平行に調整するコリメートレンズ２２とを備えている。光源モジュール２はダブルクラッドファイバ３とのカプラを兼ね、コリメートレンズ２２からの出射光はダブルクラッドファイバ３に導入される。
【００２１】
該出射光は、レーザ光であるので、励起光としても作用可能である。また、ＣＡＮレーザ２１のレーザ光は例えば青色とされる。
【００２２】
図２は、ダブルクラッドファイバ３の縦断面図である。ダブルクラッドファイバ３は、一端を光入射端３７とし、他端を光出射端３８としている。ダブルクラッドファイバ３は、光入射端３７において光源モジュール２と結合し、光出射端３８においてキャップユニット４と結合する。
【００２３】
ダブルクラッドファイバ３は、円形の横断面を有し、径方向に中心から外側へ順にコア３１、内部クラッド３２、外部クラッド３３及び被覆材３４の層を同軸に有している。図２の上側に横軸をダブルクラッドファイバ３の光出射端３８の直径方向に揃えて示しているグラフは、ダブルクラッドファイバ３の内部構造の位置Ｐと屈折率ｎとの関係を示している。位置Ｐはダブルクラッドファイバ３の円形横断面の直径方向位置に対応している。このグラフから分かるように、屈折率ｎは、コア３１、内部クラッド３２及び外部クラッド３３の順に段階的に低下する。すなわち、ダブルクラッドファイバ３の屈折率ｎは、中心に近い層ほど高くなっている。各層の外径は、例えば、コア３１は１０μｍ、内部クラッド３２は１００μｍ、外部クラッド３３は１２５μｍである。
【００２４】
外部クラッド３３が内部クラッド３２の外側に設けられることにより、内部クラッド３２は、コア３１のクラッドの役目と共に、導波路としても使用可能になる。この結果、ダブルクラッドファイバ３の光入射端３７において確保できる入射光面積を大きくすることができる（この例では入射光面の直径は１００μｍとなる）。
【００２５】
コア３１の材料には、励起光に対し発振して発光する活性元素としての例えば希土類元素が含められている。内部クラッド３２内を光入射端３７から光出射端３８へ進む励起光としてのＣＡＮレーザ２１からのレーザ光は、コア３１の希土類元素を励起する。この結果、光のエネルギが、内部クラッド３２内の光からコア３１内の光に移行して、光出射端３８でコア３１のみから出射される光の出力は、光入射端３７でコア３１及び内部クラッド３２の両方に入射した光の出力の合計に近付く。
【００２６】
図３は照明装置１の先端部の縦断面図、図４は照明装置１の先端部をその中心軸線の方向で見た図である。キャップユニット４は、端部装着体として、フェルール４１及びキャップ４３を有している。キャップユニット４の中心軸線に沿って、フェルール４１には挿通孔４２が形成され、キャップ４３には凹所４４及び通孔４５が形成されている。なお、凹所４４は省略可能である。
【００２７】
キャップ４３の先端面は、キャップユニット４の中心軸線に対して直角の平面で形成され、波長変換部５の底面が取付けられる載置面４６を構成する。通孔４５は、両端おいてそれぞれ凹所４４及び載置面４６に開口している。
【００２８】
ダブルクラッドファイバ３の先端部（光出射端３８側の端部）は、フェルール４１の挿通孔４２に挿通される。キャップ４３は、フェルール４１の先端部に嵌着され、フェルール４１を径方向に圧縮する。これにより、ダブルクラッドファイバ３の先端部は、フェルール４１において圧着状態になって、キャップユニット４からの抜けを阻止される。
【００２９】
ダブルクラッドファイバ３は、先端部において光出射端３８から凹所４４の深さの長さ分だけ被覆材３４を削除され、キャップ４３の凹所４４内に挿入されている。コア３１は、ダブルクラッドファイバ３の光出射端３８において通孔４５に接近した位置で通孔４５に対峙している。通孔４５の径は、コア３１の径よりわずかに大きいので、コア３１からの出射光は、十分な量が通孔４５に入射して、全量が通孔４５を通過する。
【００３０】
波長変換部５は、拡散層５２とその上の蛍光体層５３との積層構造をケース５１の内側に収納した構造を有している。また、拡散層５２を設けず蛍光体層５３のみをケース５１の内側に収納した構造としてもよい。拡散層５２及び蛍光体層５３は、波長変換部５の厚み方向の各端面の側に露出している。図４において、光出射面５４は、波長変換部５からの光の出射面として蛍光体層５３の露出面である。光出射面５４の輪郭及び拡散層５２の露出面の輪郭は、共に正方形に設定されているが、円形や矩形であってもよい。また、ケース５１の周輪郭も、正方形に設定されているが、円形や矩形であってもよい。
【００３１】
拡散層５２の材料は、外部から照射された光に対する拡散性を有し、かつ熱伝導性の高い材料が選択される。このような材料として例えばＡｌ２Ｏ３である。蛍光体層５３の材料は、波長変換効率の高い材料として、例えば、ＹＡＧ／Ｃｅである。
【００３２】
拡散層５２及び蛍光体層５３を包囲しているケース５１の内周壁には、光の反射層が形成される。波長変換部５の入射光面としての拡散層５２の露出面は、通孔４５からの拡散前の光が入射する部位を除き光の反射層が形成される。これら反射層は、例えばＴｉＯ２を含んだシリコーン樹脂やセラミックの材料で形成される。拡散層５２の入射光面に反射層を形成する代わりに、載置面４６に反射層を形成することもできる。載置面４６の反射層は、通孔４５の部位を除き、拡散層５２の入射光面全体をキャップ４３側から覆う。これらの反射層は、通孔４５から拡散層５２に入射した光が、蛍光体層５３の蛍光体で散乱して、キャップユニット４の方へ戻るのを防止する。これら反射層で反射した光は、再度蛍光体層５３に向かい、光出射面５４から出射する。
【００３３】
ダブルクラッドファイバ３の光出射端のコア３１から出射した光は、キャップ４３の通孔４５を通過し、波長変換部５の入射面としての拡散層５２側の面に入射する。拡散層５２に進入した光は、拡散層５２を通過中、進行方向に対して直角方向に広がって、径を増大する。こうして、径が広がった光が、蛍光体層５３に進入する。拡散層５２による光の径の広がりは、蛍光体層５３への該光の入射時において蛍光体層５３の断面積、すなわち光出射面５４の大きさに達している。したがって、蛍光体層５３から出射される光は、光出射面５４全体から一様な輝度で出射される。
【００３４】
蛍光体層５３へ入射する時には青色であった光は、蛍光体層５３では、蛍光体（例：ＹＡＧ／Ｃｅ）との衝突により一部が黄色に変換され、蛍光体層５３の露出面としての光出射面５４から白色（青色の光と黄色の光とを混合した光の色としての白色）の光として出射する。
【００３５】
次の（式１）は光出射面５４における出射光の関係式である。
（式１）：Ｆ＝π・Ｌ・Ｓ
ただし、Ｆは光束［ｌｍ］、Ｌは輝度［ｃｄ／ｍ２］である。Ｓは、光の断面積であり、光出射面５４の面積に等しい。
【００３６】
図５は、各種の光ファイバにおける光入射領域の径と輝度Ｌの分布（光の強度の分布でもある）との関係を示している。図５において、左側から順にダブルクラッドファイバ３（本発明の実施例）、シングルクラッドファイバ１１（比較例１），１２（比較例２）の縦断面が示されている。図５に付加されているグラフの横軸は、図２のグラフの横軸と同じく、各光ファイバの内部構造の位置Ｐを示し、各光ファイバの円形横断面の直径方向位置に対応している。
【００３７】
説明の便宜上、シングルクラッドファイバ１１，１２の各要素について、ダブルクラッドファイバ３の要素と対応するものは、ダブルクラッドファイバ３の対応要素に付けた符号と同一の符号で指示する。ただし、シングルクラッドファイバ１１，１２は、クラッドを１つしか有していないので、該唯一のクラッドには、符号１４を付けた。また、Ｄｉは、各光ファイバの光入射端３７における光入射部の直径を示す。
【００３８】
シングルクラッドファイバ１１，１２は、クラッドを１層しか有しない光ファイバである。シングルクラッドファイバ１１，１２では、コア３１に、励起光に対し発振して発光する活性元素が成分として含まれていない。シングルクラッドファイバ１１のコア３１の径＞シングルクラッドファイバ１２のコア３１の径の関係がある。
【００３９】
ダブルクラッドファイバ３から説明する。ダブルクラッドファイバ３では、コア３１及び内部クラッド３２の両方が導波路として機能するので、光入射部径Ｄｉは、内部クラッド３２の径に一致し、大きな値が確保される。内部クラッド３２を光入射端３７から光出射端３８に方へ向かう光は、コア３１の希土類元素を励起し、この結果、内部クラッド３２を進行する光は弱まり、コア３１を進行する光は強まる。
【００４０】
これにより、ダブルクラッドファイバ３の光出射端３８では、輝度Ｌ（光の強度と相対関係がある）は、コア３１に集中して、大きな値となる。したがって、（式１）に照らすと、光束Ｆが増大し、光の断面積Ｓが低下するので、光出射面５４の輝度Ｌは大幅に増大する。このことは、照明装置１からの出射光の照射先の輝度Ｌも増大することを意味する。
【００４１】
シングルクラッドファイバ１１，１２では、光入射部径Ｄｉは、コア３１の径に等しい。シングルクラッドファイバ１１では、光入射部径Ｄｉが大きいので、入射光量は増大するものの、光出射端３８における輝度Ｌは、広範囲に小さい値で広がる。
【００４２】
これに対し、シングルクラッドファイバ１２では、光入射部径Ｄｉが小さいので、入射光量は小さく、光出射端３８における輝度Ｌは、小さい値で狭範囲に集中する。
【００４３】
その他として、蛍光体層５３の蛍光体は、光を波長変換するときに発熱する。蛍光体層５３が高温になると、消光が生じるので、蛍光体層５３の冷却が必要になる。拡散層５２は、蛍光体層５３に積層方向に隣接しているとともに、Ａｌ２Ｏ３等の熱伝導性の高い材料から成る。この結果、蛍光体層５３の熱は、拡散層５２を介してキャップ４３の載置面４６に伝導する。
【００４４】
一方、前述したように、照明装置１では、ダブルクラッドファイバ３の光出射端３８における光の出射はコア３１のみにおいて行われるので、キャップ４３の通孔４５は細くできる。通孔４５が細くされた分、拡散層５２と載置面４６との接触面積が増大するので、接触面からキャップ４３に伝導した熱は、表面積の大きいキャップ４３から放出される。これにより、蛍光体層５３の冷却効果を高めることができる。
【００４５】
（実施例２）
図６は照明装置６１の全体図である。照明装置６１は、光源モジュール２ａ，２ｂ、ダブルクラッドファイバ３ａ，３ｂ、キャップユニット６４及び波長変換部６５を備える。
【００４６】
光源モジュール２ａ，２ｂは、照明装置１の光源モジュール２と同一の構成を有する。ダブルクラッドファイバ３ａ，３ｂは、照明装置１のダブルクラッドファイバ３と同一の構成を有する。ダブルクラッドファイバ３ａ，３ｂは、束ねられて、キャップユニット６４に結合されている。
【００４７】
図７は照明装置６１の先端部の縦断面図、図８は照明装置６１の先端部をその中心軸線の方向で見た図である。照明装置６１は、先端部においてキャップユニット６４及び波長変換部６５を備えている。図１の照明装置１のキャップユニット４及び波長変換部５が１本のダブルクラッドファイバ３のみに対応していたのに対し、キャップユニット６４及び波長変換部６５は、２本のダブルクラッドファイバ３ａ，３ｂに対応する必要があるため、キャップユニット６４のフェルール４１ｕ及びキャップ４３ｕの径がキャップユニット４のフェルール４１及びキャップ４３の径に対して増大されるとともに、通孔等の個数が１つから２つに変更されている。
【００４８】
具体的には、キャップユニット６４における挿通孔４２ｕ及び凹所４４ｕは、ダブルクラッドファイバ３ａ，３ｂの並び方向の径のみをキャップユニット４の挿通孔４２及び凹所４４の径の２倍になっている。通孔４５ａ，４５ｂは、凹所４４の通孔４５を２個としたものである。
【００４９】
波長変換部６５における拡散層５２ｕ及び蛍光体層５３ｕも、ダブルクラッドファイバ３ａ，３ｂの並び方向の寸法を２倍とされただけである。したがって、拡散層５２ｕ及び蛍光体層５３ｕの中心軸線に沿う方向視の形状は、拡散層５２及び蛍光体層５３の同方向視の正方形を２つ連ねた矩形になっている。ケース５１ｕは、拡散層５２ｕ及び蛍光体層５３ｕの拡大に合わせて、寸法を拡大されている。照明装置６１の光出射面５４ｕは、正方形の光出射面５４を２個連ねた矩形とされる。したがって、光出射面５４ｕは、光出射面５４に対し、面積は２倍で、輝度Ｌは等しいものになる。
【００５０】
（実施例３）
図９は照明装置７１の構成図である。照明装置７１は、照明装置１の光源モジュール２が光源モジュール７２に置き換えられているだけで、他の構成は照明装置１と同一である。光源モジュール７２について説明する。
【００５１】
光源モジュール７２は、ＣＡＮレーザ２１及びコリメートレンズ２２の組を２個、備えている。光源モジュール７２は、さらに、偏光ビームスプリッタ７５と集光レンズ７６とを備える。各ＣＡＮレーザ２１からレーザ光は、各コリメートレンズ２２を通って偏光ビームスプリッタ７５に入射され、偏光ビームスプリッタ７５において１つのレーザ光に合成されてから、集光レンズ７６に出射される。合成されたレーザ光は、断面径が各コリメートレンズ２２の出射光の断面径に等しく、光束Ｆが２倍となる。
【００５２】
合成光は、集光レンズ７６によりダブルクラッドファイバ３の光入射端３７のコア３１及び内部クラッド３２に入射される。こうして、照明装置７１が照射先で生成する照射スポットは、照明装置１の照射スポットに対して面積が等しく、輝度Ｌは２倍となる。
【００５３】
（使用例）
図１０は照明装置１の使用例としての前照灯装置１００の構成図である。前照灯装置１００は、照明装置１を２つ備える。各照明装置１において、ＣＡＮレーザ２１は、青色レーザ光を生成し、蛍光体層５３の蛍光体として、青色の波長を黄色の波長に変換する蛍光体をもつ。これにより、照明装置１からの出射光（波長変換部５からの出射光）は、青色の光と黄色の光とが混合した白色の光となる。
【００５４】
前照灯装置１００は、さらに、車体の前部に取付けられる前照灯１０１を備える。通常の自動車では、前照灯１０１は、車体の前部の左右に１つずつ配備されるが、図１０の前照灯装置１００は、その一方のみを示している。
【００５５】
前照灯装置１００は、ハイビーム系１１１ａとロービーム系１１１ｂとに分けられる。ハイビーム系１１１ａとロービーム系１１１ｂとは、前照灯１０１から前方に出射する光をハイビーム用に斜め上方に向けるか、ロービーム用に斜め下方に向けるかの相違であり、構成要素は同一である。すなわち、ハイビーム系１１１ａ及びロービーム系１１１ｂ共に、１個の照明装置１と、ハウジング１０３内に配設される１個のリフレクタ１１２とを備える。
【００５６】
各照明装置１において、光源モジュール２は、前照灯１０１から離れた場所に配設され、照明装置１の先端部のキャップユニット４及び波長変換部５は、ハウジング１０３内に配設されるか、又は波長変換部５からの出射光がハウジング１０３内のリフレクタ１１２に当たるように、ハウジング１０３に取付けられる。
【００５７】
リフレクタ１１２は、波長変換部５から入射した光を照明装置１の前方に反射する。これにより、反射光が、レンズ１０４を通過し、車両前方の所定の照射領域を照射する。
【００５８】
（変形例）
実施形態のダブルクラッドファイバ３では、コア３１の活性元素として希土類元素が使用されているが、本発明のダブルクラッドファイバにおけるコアの活性元素は、希土類元素に限定されない。
【００５９】
実施形態のキャップユニット４の蛍光体層５３は、例えば青色の波長を黄色の波長に変換して、青色の光と黄色の光とを混合した白色の光を出射する。本発明の波長変換部は、青色以外の色の光の波長を変換して、白色以外の色の光を出射するものであってもよい。
【００６０】
前照灯装置１００は、照明装置１の１つの使用例であるが、本発明の照明装置は、車両に装備されることなく、屋内又は屋外に配設される一般的な照明装置（例：室内灯や街路灯等）や、遠方を照らすための投光器であってもよい。また、本発明の照明装置は、前照灯装置１００以外の車両用灯具（例：ブレーキランプやバックランプ）であってもよい。
【００６１】
前照灯装置１００では、ロービーム系１１１ｂにも、ダブルクラッドファイバ３を用いる照明装置１が使用されている。ロービーム系１１１ｂの照射距離は、ハイビーム系１１１ａの照射距離よりも短くていいので、すなわち輝度Ｌが低くてもよいので、ロービーム系１１１ｂの光ファイバは、シングルクラッドファイバ１１（図５）を使用してもよい。
【００６２】
キャップユニット４，６４から成る端部装着体は本発明において省略可能である。なお、端部装着体は、ダブルクラッドファイバの光出射端側の端部に装着して、積層体を載置面に取付けて、かつ放熱性のよい材料からできていれば、キャップユニット４，６４のように、フェルール４１，４１ｕ及びキャップ４３，４３ｕの２つの部品から成る構造に限定されない。単体の部品や、３以上の部品から構成される端部装着体であってもよい。
【００６３】
キャップユニット４の載置面４６は、キャップユニット４の端面として一様な平面に形成されている。本発明の載置面は、キャップユニット４の端面において、積層体を載置する部分のみ隆起した隆起部の頂面であってり、該部分のみ陥没した底面であったりしてもよい。
【００６４】
実施形態では、波長変換部５，６５等は、蛍光体層５３，５３ｕと共に拡散層５２，５２ｕを有している。本発明の波長変換部は、波長変換層としての蛍光体層のみを有し、拡散層を省略することができる。
【符号の説明】
【００６５】
１，６１，７１・・・照明装置、３，３ａ，３ｂ・・・ダブルクラッドファイバ、４，６４・・・キャップユニット（端部装着体）、５，６５・・・波長変換部、２１・・・ＣＡＮレーザ（光源）、３１・・・コア、３２・・・内部クラッド、３３・・・外部クラッド、３７・・・光入射端、３８・・・光出射端、４５・・・通孔、４６・・・載置面、５３・・・波長変換部、５４・・・光出射面、１００・・・前照灯装置（照明装置又は車両用灯具）、１１１ａ・・・ハイビーム系。
【図１】
2018120749.tif 000003
【図２】
2018120749.tif 000004
【図３】
2018120749.tif 000005
【図４】
2018120749.tif 000006
【図５】
2018120749.tif 000007
【図６】
2018120749.tif 000008
【図７】
2018120749.tif 000009
【図８】
2018120749.tif 000010
【図９】
2018120749.tif 000011
【図１０】
2018120749.tif 000012